(57)【要約】      （修正有）【課題】利用者がベッドから離れてトイレまで移動せずに排泄を行うことを可能にする介護用ベッドを提供する。【解決手段】介護用ベッド１０であって、短手方向に平行に対置される一対の第一側面板１１０および第二側面板１１１と、長手方向に平行に対置される一対の第三側面板１２０および第四側面板１２１とを含むベッドフレーム２０を有し、ベッドフレーム２０に敷設され、表面に略円形状の孔部１３０が設けられる床板１００を有し、第三側面板１２０が有する長方形状の開口部に挿通され、第三側面板１２０の軸方向と直交方向且つ水平方向に移動するスライダー板１４０を有し、孔部１３０の真下に定位される便座部を有する。【選択図】図１
0003225704.tif 000002
【実用新案登録請求の範囲】
【請求項１】
介護用ベッドであって、
短手方向に平行に対置される一対の第一側面板および第二側面板と、長手方向に平行に対置される一対の第三側面板および第四側面板とを含むベッドフレームを有し、
前記ベッドフレームに敷設され、表面に略円形状の孔部が設けられる床板を有し、
前記第三側面板が有する長方形状の開口部に挿通され、前記第三側面板の軸方向と直交方向且つ水平方向に移動するスライダー板を有し、
前記孔部の真下に定位される便座部を有し、
前記便座部と接合されることにより前記便座部を支持する支持板を有し、
前記便座部の真下に定位され、且つ前記支持板と脱着可能に接合されるカートリッジ部を有する、
介護用ベッド。
【請求項２】
請求項１に記載の介護用ベッドであって、
前記ベッドフレームに固定され、スプレーヘッドとポンプと水容器とチューブとを含み、前記スプレーヘッドは前記床板の孔部の下方および前記便座部の中心且つ前記便座部の下面の位置する水平面内と略同一高さに設置され、前記スプレーヘッドは前記ポンプにより前記水容器から抽出した水を前記便座部の鉛直上方方向に噴出させる洗浄装置を有する、
介護用ベッド。
【考案の詳細な説明】
【技術分野】
【０００１】
本考案は、介護用ベッドに関する。
【背景技術】
【０００２】
高齢化が進むにつれて、疾病を患う高齢者も増加傾向にある。行動が不自由な者、長期間寝たきりの患者等、行動能力が衰えている者の多くは長期間介護ベッドで過ごすため、患者の移動には介護者の助けが欠かせず、手間がかかっていた。
【０００３】
そして、現在の多くの介護ベッドは、患者が介護ベッドの上で排泄を行える設計にはなっていない。一般的には、介護ベッドの傍に便器を準備し、患者が排泄を行う場合はトイレまで行って行う必要があり、患者及び介護者にとって手間がかかっていた。
【先行技術文献】
【特許文献】
【０００４】
【特許文献１】特開２００９−２７９３６１号公報
【考案の概要】
【考案が解決しようとする課題】
【０００５】
特許文献１では、入浴、排便させる介護を一人で行えるように組み合わせた床ずれ防止機能を備えた介護ベッドが提案されている。しかしながら、特許文献１に記載されている技術は寝たまま使用するというものであり、利用者の心地良さ、利用しやすさの面からは課題があった。
【０００６】
本考案の目的は、利用者がベッドから離れてトイレまで移動せずに排泄を行うことを可能にする技術を提供することである。
【課題を解決するための手段】
【０００７】
本願において開示される考案のうち、代表的なものの概要を簡単に説明すれば、次の通りである。
【０００８】
本考案の一実施の形態の介護用ベッドは、短手方向に平行に対置される一対の第一側面板および第二側面板と、長手方向に平行に対置される一対の第三側面板および第四側面板とを含むベッドフレームを有する。また介護用ベッドは、ベッドフレームに敷設され、表面に略円形状の孔部が設けられる床板を有する。また介護用ベッドは、第三側面板が有する長方形状の開口部に挿通され、第三側面板の軸方向と直交方向且つ水平方向に移動するスライダー板を有する。また介護用ベッドは、孔部の真下に定位される便座部を有する。また介護用ベッドは、便座部と接合されることにより便座部を支持する支持板を有する。また介護用ベッドは、便座部の真下に定位され、且つ支持板と脱着可能に接合されるカートリッジ部を有する。
【考案の効果】
【０００９】
本願において開示される考案のうち、代表的なものによって得られる効果を簡単に説明すれば以下のとおりである。
【００１０】
本考案の一実施の形態によれば、利用者がベッドから離れてトイレまで移動せずに排泄を行うことができる。
【図面の簡単な説明】
【００１１】
【図１】本考案の一実施の形態における介護用ベッドのスライダー板が閉じている状態の平面図である。
【図２】本考案の一実施の形態における介護用ベッドのスライダー板が開いている状態の平面図である。
【図３】本考案の一実施の形態における介護用ベッドの第三側面板側から見た側面図である。
【図４】本考案の一実施の形態における介護用ベッドの断面図である。
【図５】本考案の一実施の形態における介護用ベッドの斜視図である。
【考案を実施するための形態】
【００１２】
以下、本考案の実施の形態を図面に基づいて詳細に説明する。なお、実施の形態を説明するための全図において、同一部には原則として同一の符号を付し、その繰り返しの説明は省略する。
〈介護用ベッド〉
図１は、本考案の一実施の形態における介護用ベッド１０のスライダー板１４０が閉じている状態の平面図である。
【００１３】
図１に示されるように、介護用ベッド１０は、短手方向に平行に対置される一対の第一側面板１１０および第二側面板１１１と、長手方向に平行に対置される一対の第三側面板１２０および第四側面板１２１とを含むベッドフレーム２０を有する。
【００１４】
第一側面板１１０および第二側面板１１１は、木材等の素材である。第一側面板１１０および第二側面板１１１の大きさは、例えば長さ１０００ｍｍ、幅６０ｍｍ、高さ８００ｍｍとするがこれに限定されない。
【００１５】
第三側面板１２０および第四側面板１２１は、木材等の素材である。第三側面板１２０および第四側面板１２１の大きさは、例えば長さ２０００ｍｍ、幅６０ｍｍ、高さ４００ｍｍとするがこれに限定されない。
【００１６】
第一側面板１１０の一端は、第三側面板１２０の一端とねじ接合等により接合される。このとき、第一側面板１１０は、第三側面板１２０と相互の長軸が直交するように接合される。
【００１７】
第一側面板１１０の他端は、第四側面板１２１の一端とねじ接合等により接合される。このとき、第一側面板１１０は、第四側面板１２１と相互の長軸が直交するように接合される。
【００１８】
第二側面板１１１の一端は、第三側面板１２０の他端とねじ接合等により接合される。このとき、第二側面板１１１は、第三側面板１２０と相互の長軸が直交するように接合される。
【００１９】
第二側面板１１１の他端は、第四側面板１２１の他端とねじ接合等により接合される。このとき、第二側面板１１１は、第四側面板１２１と相互の長軸が直交するように接合される。
【００２０】
また、介護用ベッド１０は、ベッドフレーム２０に敷設され、表面に略円形状の孔部１３０が設けられる床板１００を有する。
【００２１】
床板１００の形状は、略長方形である。床板１００は、木材等の素材である。床板１００の大きさは、例えば、縦方向の長さが２０００ｍｍであり、横方向の幅が１０００ｍｍであり、厚さが６０ｍｍとするが特に限定されない。また、床板１００の形状は、四角形状であれば良い。
【００２２】
ベッドフレーム２０は、既述した通り、短手方向に平行に対置される一対の第一側面板１１０および第二側面板１１１と、長手方向に平行に対置される一対の第三側面板１２０および第四側面板１２１とを含む。また、第一側面板１１０および第二側面板１１１の高さは８００ｍｍ程度であり、第三側面板１２０および第四側面板１２１の高さは４００ｍｍ程度である。すなわち、第三側面板１２０および第四側面板１２１の上面は、第一側面板１１０および第二側面板１１１の上面よりも低く位置する。
【００２３】
従って、床板１００は、第三側面板１２０と第四側面板１２１の両者の上面に架け渡すように横臥させることが可能となる。また、床板１００の短辺のうち一つは第一側面板１１０と接し、床板１００の短辺のうち他の一つは第二側面板１１１と接する。このようにして、床板１００はベッドフレーム２０に敷設される。
【００２４】
図１に示すように、孔部１３０は、床板１００の表面中央からやや第二側面板１１１と第三側面板１２０に近づいた辺りに位置する。また、孔部１３０の大きさは、直径４００ｍｍ程度である。
【００２５】
介護用ベッド１０は、第三側面板１２０が有する長方形状の開口部１４１に挿通され、第三側面板１２０の軸方向と直交方向且つ水平方向に移動するスライダー板１４０を有する。
【００２６】
スライダー板１４０の形状は、略長方形である。スライダー板１４０の大きさは、例えば、長さが７００ｍｍであり、幅が５００ｍｍであり、厚さが６０ｍｍとするが特に限定されない。また、スライダー板１４０の形状は、四角形状であれば良い。
【００２７】
スライダー板１４０は把持部１５０を有する。把持部１５０はスライダー板１４０の表面に突起状にスライダー板１４０と一体成型されている。把持部１５０の大きさは、例えば、長さが４００ｍｍであり、幅が５０ｍｍであり、高さが５０ｍｍとするが特に限定されない。また、把持部１５０の平面形状は、四角形状であれば良い。
【００２８】
開口部１４１は、第三側面板１２０の表面に穿たれた長方形状の開口部である。開口部１４１の大きさは、スライダー板１４０の大きさに対応しており、長さが５００ｍｍであり、幅が６０ｍｍとするが特に限定されない。
【００２９】
スライダー板１４０は、開口部１４１に挿通され、第三側面板１２０の軸方向と直交方向且つ水平方向に移動する。
【００３０】
図２は、本考案の一実施の形態における介護用ベッド１０のスライダー板１４０が開いている状態の平面図である。
【００３１】
図２に示されるように、介護用ベッド１０は、孔部１３０の真下に定位される便座部２００を有する。便座部２００の大きさは、孔部２００の大きさに対応しており、直径が４００ｍｍ程度であり、幅が５０ｍｍとするが特に限定されない。また、便座部２００の形状は、Ｕ字型形状である。
【００３２】
なお、便座部２００の上面は、スライダー板１４０の下面より低い高さに位置する。このようにすることで、スライダー板１４０が閉じている状態の時は、便座部２００を上方から見えないよう隠すことができる。
【００３３】
介護用ベッド１０は、便座部２００と接合されることにより便座部２００を支持する支持板２２０を有する。支持板２２０は、溶接接合等により便座部２００の周縁部と接合される。
【００３４】
支持板２２０の形状は、略長方形である。支持板２２０は、木材等の素材である。支持板２２０の大きさは、例えば、長さが５００ｍｍであり、幅が６０ｍｍであり、高さが３００ｍｍとするが特に限定されない。
【００３５】
図２に示されるように、スライダー板１４０は開口方向２１０に向かって移動できる。具体的には、利用者が把持部１５０を把持して、開口方向２１０へスライダー板１４０に対し外力を与えることによって、スライダー板１４０は、開口方向２１０に向かって移動する。
【００３６】
スライダー板１４０の移動のさせ方は、公知技術であり詳細は省略する。例えば、スライダー板１４０は上面に開口方向２１０の向きに溝を有し、床板１００は下面のうちスライダー板１４０を設ける位置に下向きに固定歯車を有する。そして、スライダー板１４０の上記溝が案内する方向に、床板１００の上記固定歯車の車輪が摺動することで、相対的にスライダー板１４０が上記溝の方向すなわち開口方向２１０に移動する。
【００３７】
このようにスライダー板１４０を開口方向２１０に移動させることで、利用者は容易に孔部２００を開口させることができ、便座部２００に座って排泄等を行うことができる。また、排泄等をしない時にはスライダー板１４０を閉じた状態とすることで、利用者は便座部２００を上方から見て隠すことができ、介護用ベッド１０および介護用ベッド１０の周辺の衛生環境を清潔に維持できる。
【００３８】
図３は、本考案の一実施の形態における介護用ベッド１０の第三側面板１２０側から見た側面図である。図３に示されるように、介護用ベッド１０は、第三側面板１２０の方にスライダー板１４０が備えられている。なお、介護用ベッド１０は、第四側面板１２１の方にスライダー板１４０を備えてもよい。
【００３９】
図４は、本考案の一実施の形態における介護用ベッド１０の断面図である。なお、図４（ａ）は、本考案の一実施の形態における介護用ベッド１０が有するスライダー板１４０が閉じている状態の断面図である。また、図４（ｂ）は、本考案の一実施の形態における介護用ベッド１０が有するスライダー板１４０が開いている状態の断面図である。
【００４０】
介護用ベッド１０は、便座部２００の真下に定位され、且つ支持板２２０と脱着可能に接合されるカートリッジ部４００を有する。この底面には、消臭薬が入っている。
【００４１】
図４に示されるように、カートリッジ部４００の断面形状は、長方形に略半円形を組み合わせた形状である。また、カートリッジ部４００の平面形状は、略円形状である。カートリッジ部４００は、プラスチック等の素材である。カートリッジ部４００の大きさは、例えば、直径が５００ｍｍであり、高さが２００ｍｍとするが特に限定されない。
【００４２】
カートリッジ部４００は、便座部２００の真下に定位され、且つ支持板２２０と簡易な方法で、例えばねじ接合等により接合される。カートリッジ部４００は、例えばねじ接合の場合には、ねじを螺合させることで支持板２２０と接合させ、ねじの螺合を解除することで支持板２２０から取り外すことができる。
【００４３】
また、カートリッジ部４００は、トイレを無臭にする機能、例えば猫の脱糞機のような機能（中が二重になっていて、下の部分の薬品で臭いを消す等）を有する。
【００４４】
このようにカートリッジ部４００を脱着可能とすることで、利用者または介護者等はカートリッジ部４００を容易に取り替えることができ、介護用ベッド１０および介護用ベッド１０の周辺の衛生環境を清潔に維持できる。
＜洗浄装置＞
介護用ベッド１０は、洗浄装置４１０を有する。
【００４５】
洗浄装置４１０は、ベッドフレーム２０に固定され、スプレーヘッドとポンプと水容器とチューブとを含む。洗浄装置４１０に含まれるスプレーヘッドは、床板１００の孔部１３０の下方および便座部２００の中心且つ便座部２００の下面の位置する水平面内と略同一高さに設置され、スプレーヘッドはポンプにより水容器から抽出した水を便座部２００の鉛直上方方向に噴出させる。また、介護用ベッド１０は、排泄後には、呼び出しボタンが押下されることで、介護士を呼び出すことが可能に構成される。
【００４６】
このように介護用ベッド１０が洗浄装置４１０を有することで、利用者が排泄した後に容易に利用者の臀部を洗浄できる。また、洗浄装置４１０はドライヤースプレーヘッドの近傍を備え、温水にて洗浄した後に、臀部を乾燥可能に構成される。また、洗浄装置４１０は、紙や布などの水分を吸収可能な吸収システム（不図示）を備え、小便を吸収可能に構成される。これによって匂いを抑制できる。その後、カートリッジ部４００が介護士によって交換され、地下の施設に収納される。
【００４７】
図５は、本考案の一実施の形態における介護用ベッド１０の斜視図である。
＜参考事項＞
４０兆円に達する医療費は、今後も増え続ける。本考案を導入することで、１０兆円の減額へと寄与したい。４７都道府県に、発注し、経済活動を活性化したい。
＜本実施の形態の効果＞
以上説明した本実施の形態によれば、利用者がベッドから離れてトイレまで移動せずに排泄を行うことができる。また、設置することで患者が歩いて活動しやすくなり、心身共に健康にすることが可能になり、早期退院へとつながる。さらに、下半身がマヒしている患者については、上半身自由自在に動かせるようになり、体力、脳の働き活発になる。
【００４８】
以上、本考案者によってなされた考案を実施の形態に基づき具体的に説明したが、本考案は前記実施の形態に限定されるものではなく、その要旨を逸脱しない範囲で種々変更可能であることはいうまでもない。
【００４９】
また、上記した実施の形態は本考案を分かりやすく説明するために詳細に説明したものであり、必ずしも説明した全ての構成を備えるものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【符号の説明】
【００５０】
１０……介護用ベッド
２０……ベッドフレーム
１００…床板
１１０…第一側面板
１１１…第二側面板
１２０…第三側面板
１２１…第四側面板
１３０…孔部
１４０…スライダー板
１５０…把持部
１２０…第三側面板
２００…便座部
２１０…開口方向
２２０…支持部
４００…カートリッジ部
４１０…洗浄装置
【図１】
0003225704.tif 000003
【図２】
0003225704.tif 000004
【図３】
0003225704.tif 000005
【図４】
0003225704.tif 000006
【図５】
0003225704.tif 000007